(57)【要約】【課題】  機械的にレンズを移動させることなく効率的にフォーカシングを行うことができ、小型化にも適したフォーカシング用アタッチメント、および撮影光学系を実現する。【解決手段】  この撮影光学系は、主レンズ２０と、この主レンズ２０よりも物体側に配置されたフォーカシング用アタッチメント１０とを備える。フォーカシング用アタッチメント１０は、第１および第２のレンズＧ１，Ｇ２からなる接合レンズを有している。第１および第２のレンズＧ１，Ｇ２は、互いに屈折率の異なる第１および第２の流動性物質により形成され、その接合面の形状が可変となっている。その接合面の形状を物体距離に応じて電気的に制御することで、フォーカシングがなされる。第１の流動性物質の屈折率Ｎｄ１、第２の流動性物質の屈折率Ｎｄ２に関し、以下の条件を満足する。  ０．１＜│Ｎｄ１−Ｎｄ２│＜０．５  ……（１）【選択図】      図１
2006126739.tif 000002
【特許請求の範囲】
【請求項１】
撮影光学系において主レンズよりも物体側に配置されるフォーカシング用アタッチメントであって、
レンズ材料として屈折率の異なる第１および第２の流動性物質が物体側より順に用いられることにより、接合面の形状が可変に構成された接合レンズと、
物体距離に応じて前記接合レンズの接合面の形状を電気的に制御する制御手段と
を備え、
前記接合レンズの前後面は平面形状とされ、かつ、以下の条件式を満足するように構成されている
ことを特徴とするフォーカシング用アタッチメント。
０．１＜│Ｎｄ１−Ｎｄ２│＜０．５  ……（１）
ただし、
Ｎｄ１：接合レンズにおける第１の流動性物質のｄ線に対する屈折率
Ｎｄ２：接合レンズにおける第２の流動性物質のｄ線に対する屈折率
【請求項２】
さらに、前記接合レンズにおける前記接合面の曲率半径の使用上の最小値をＲＡ、前記主レンズの焦点距離をｆとしたとき以下の条件式を満足するように構成されている
３＜│ＲＡ│／ｆ＜２０  ……（２）
ことを特徴とする請求項１に記載のフォーカシング用アタッチメント。
【請求項３】
前記接合レンズの前後面の少なくとも一方に、赤外線カットコートが施されている
ことを特徴とする請求項１または２に記載のフォーカシング用アタッチメント。
【請求項４】
主レンズと、この主レンズよりも物体側に配置されたフォーカシング用ユニットとを備え、
前記フォーカシング用ユニットは、
レンズ材料として屈折率の異なる第１および第２の流動性物質が物体側より順に用いられることにより、接合面の形状が可変に構成された接合レンズと、
物体距離に応じて前記接合レンズの接合面の形状を電気的に制御する制御手段と
を有し、
前記接合レンズの前後面は平面形状とされ、かつ、以下の条件式を満足するように構成されている
ことを特徴とする撮影光学系。
０．１＜│Ｎｄ１−Ｎｄ２│＜０．５  ……（１）
ただし、
Ｎｄ１：接合レンズにおける第１の流動性物質のｄ線に対する屈折率
Ｎｄ２：接合レンズにおける第２の流動性物質のｄ線に対する屈折率
【請求項５】
前記フォーカシング用ユニットは、前記主レンズに対し着脱可能なフォーカシング用アタッチメントとして構成されている
ことを特徴とする請求項４に記載の撮影光学系。
【発明の詳細な説明】
【技術分野】
【０００１】
本発明は、各種カメラやカメラ付き携帯電話等におけるフォーカシング技術に利用されるフォーカシング用アタッチメント、および撮影光学系に関する。
【背景技術】
【０００２】
従来より、オートフォーカス機能を有するカメラやビデオカメラが知られている。これらの撮影機器におけるフォーカシングは、撮影レンズのレンズ系全体、もしくはその一部をモータ等の駆動系により移動させることにより行う方式が一般的である。一方、近年では携帯電話やＰＤＡ（Personal Digital Assistant）等の小型の情報端末機器において、撮像モジュールを搭載して撮影機能を備えたものが多く出回ってきている。これらの情報端末機器における撮影光学系では、小型化や構成の簡易さの点で、そのフォーカシング方式として、レンズの被写界深度を利用したパンフォーカスを採用している場合が多い。
【０００３】
ところで、最近では可動部品を使用せずに焦点距離を可変できるようにした液体レンズ・システムが開発されている（非特許文献１）。これは、屈折率の異なる２種類の不混和性液体をレンズ材料として円筒状のチューブに充填し、その液体の形状を電気的に制御するようにしたものである。
【非特許文献１】Royal Philips Electronics、“フィリップスの液体レンズに焦点”、2004年3月3日プレスリリース、インターネット＜URL:http://www.philips.co.jp/about/news/section-13914/article-2631.html＞
【発明の開示】
【発明が解決しようとする課題】
【０００４】
上述したように近年では小型の情報端末機器においても撮影機能を備え、そのフォーカシング方式として、パンフォーカスを採用している場合が多い。しかしながら、そのような機器においても画質に対する要求が年々高くなってきており、パンフォーカスからオートフォーカスの光学系へと需要が移ってきている。しかし、従来のオートフォーカスは、撮影レンズをモータ等の駆動系により移動させることにより行っているため、レンズの移動機構が必要となり、小型化や構成の簡易さの点で不利である。一方、非特許文献１に記載のような液体レンズ・システムは、レンズをモータ等で機械的に移動させることなく焦点距離を可変できる。このようなレンズ・システムを、フォーカシング技術に応用できれば、小型化や構成の簡易さの点で有利である。
【０００５】
本発明はかかる問題点に鑑みてなされたもので、その目的は、機械的にレンズを移動させることなく効率的にフォーカシングを行うことができ、小型化にも適したフォーカシング用アタッチメント、および撮影光学系を提供することにある。
【課題を解決するための手段】
【０００６】
本発明によるフォーカシング用アタッチメントは、撮影光学系において主レンズよりも物体側に配置されるフォーカシング用アタッチメントであって、レンズ材料として屈折率の異なる第１および第２の流動性物質が物体側より順に用いられることにより、接合面の形状が可変に構成された接合レンズと、物体距離に応じて接合レンズの接合面の形状を電気的に制御する制御手段とを備え、接合レンズの前後面は平面形状とされ、かつ、以下の条件式を満足するように構成されているものである。ただし、Ｎｄ１は接合レンズにおける第１の流動性物質のｄ線に対する屈折率、Ｎｄ２は接合レンズにおける第２の流動性物質のｄ線に対する屈折率を示す。
０．１＜│Ｎｄ１−Ｎｄ２│＜０．５  ……（１）
【０００７】
また、本発明による撮影光学系は、主レンズと、この主レンズよりも物体側に配置されたフォーカシング用アタッチメントとを備え、フォーカシング用アタッチメントが、レンズ材料として屈折率の異なる第１および第２の流動性物質が物体側より順に用いられることにより、接合面の形状が可変に構成された接合レンズと、物体距離に応じて接合レンズの接合面の形状を電気的に制御する制御手段とを有し、接合レンズの前後面が平面形状とされ、かつ、以下の条件式を満足するように構成されているものである。ただし、Ｎｄ１は接合レンズにおける第１の流動性物質のｄ線に対する屈折率、Ｎｄ２は接合レンズにおける第２の流動性物質のｄ線に対する屈折率を示す。
０．１＜│Ｎｄ１−Ｎｄ２│＜０．５  ……（１）
【０００８】
なお、本発明による撮影光学系において、フォーカシング用ユニットは、鏡胴内に固定配置されるものであっても良いし、主レンズに対し着脱可能なフォーカシング用アタッチメントとして構成されていても良い。
【０００９】
本発明によるフォーカシング用アタッチメントおよび撮影光学系はさらに、以下の条件式を満足するように構成されていることが好ましい。ＲＡは、接合レンズにおける接合面の曲率半径の使用上の最小値、ｆは、主レンズの焦点距離を示す。
３＜│ＲＡ│／ｆ＜２０  ……（２）
【００１０】
また、本発明によるフォーカシング用アタッチメントおよび撮影光学系において、接合レンズの前後面の少なくとも一方に、赤外線カットコートが施されていても良い。
【００１１】
本発明によるフォーカシング用アタッチメントおよび撮影光学系では、主レンズよりも物体側にフォーカシング用アタッチメントまたはフォーカシング用ユニットが配置され、そこでフォーカシングが行われる。フォーカシング用アタッチメントまたはフォーカシング用ユニットは、接合面の形状が可変に構成された接合レンズを有し、その接合面の形状が電気的に制御される。その接合面の形状を物体距離に応じて制御することでフォーカシングが実現される。レンズをモータ等で機械的に移動させることなくフォーカシングが実現されるので、小型化および構成の簡易さの点で有利となる。この場合において、接合レンズを構成する第１および第２の流動性物質の屈折率Ｎｄ１，Ｎｄ２が、条件式（１）を満足することで、効率的なフォーカシングが可能となる。
【発明の効果】
【００１２】
本発明のフォーカシング用アタッチメントまたは撮影光学系によれば、フォーカシング用アタッチメントまたはフォーカシング用ユニットが、接合面の形状が可変に構成された接合レンズを有し、その接合面の形状を物体距離に応じて電気的に制御することでフォーカシングを行い、また、接合レンズを構成する第１および第２の流動性物質の屈折率Ｎｄ１，Ｎｄ２に関して所定の条件式（１）を満足するようにしたので、レンズをモータ等で機械的に移動させることなく効率的にフォーカシングを行うことができ、小型化にも適した光学系を実現できる。
【発明を実施するための最良の形態】
【００１３】
以下、本発明の実施の形態について図面を参照して詳細に説明する。
図１は、本発明の一実施の形態に係る撮影光学系の一構成例を示している。この構成例は、後述の数値実施例（図３（Ａ），（Ｂ））のレンズ構成に対応している。なお、図１において、符号Ｒｉは、最も物体側の構成要素の面を１番目として、像側（結像側）に向かうに従い順次増加するようにして符号を付したｉ番目（ｉ＝１〜１０）の面の曲率半径を示す。符号Ｄｉは、ｉ番目の面とｉ＋１番目の面との光軸Ｚ１上の面間隔を示す。
【００１４】
この撮影光学系は、例えばカメラ付き携帯電話等の小型の情報端末機器やデジタルカメラ等に搭載されて使用されるものである。この撮影光学系は、光軸Ｚ１に沿って、主レンズ２０と、この主レンズ２０よりも物体側に配置されたフォーカシング用アタッチメント１０とを備えている。この撮影光学系の結像面（撮像面）には、図示しないＣＣＤ（Charge Coupled Device）やＣＭＯＳ（Complementary Metal Oxide Semiconductor）などの撮像素子が配置される。撮像素子の撮像面付近には、撮像面を保護するためのカバーガラスＧＣが配置されている。主レンズ２０と結像面（撮像面）との間には、カバーガラスＧＣのほか、赤外線カットフィルタやローパスフィルタなどの他の光学部材が配置されていても良い。また、フォーカシング用アタッチメント１０は、主レンズ２０に対し着脱可能であるが、鏡胴内に固定配置されたフォーカシング用ユニットとして構成されていても良い。
【００１５】
フォーカシング用アタッチメント１０は、物体側より順に第１および第２レンズＧ１，Ｇ２で構成された接合レンズを有している。第１および第２レンズＧ１，Ｇ２は、レンズ材料として、後述するように互いに屈折率の異なる第１および第２の流動性物質４１，４２（図２（Ａ），（Ｂ））が用いられ、接合面の形状が可変に構成されている。第１および第２レンズＧ１，Ｇ２の前後面、すなわち第１レンズＧ１の物体側の面と第２レンズＧ２の像側の面は平面形状となっている。フォーカシング用アタッチメント１０のより詳しい構成、および接合レンズの接合面の制御の原理については、図２（Ａ），（Ｂ）を参照して後述する。
【００１６】
主レンズ２０は、フォーカシングの際に固定のレンズ群であり、物体側より順に、第３レンズＧ３、および第４レンズＧ４を有している。絞りＳｔは、例えば第３レンズＧ３の物体側に配設されている。第３レンズＧ３、および第４レンズＧ４は、例えば非球面レンズで構成され、少なくとも光軸中心の形状が、物体側に凸面を向けたメニスカス形状となっている。第４レンズＧ４の非球面形状は例えば、有効径の範囲内で、物体側の面が周辺に行くほど負のパワーが強くなる形状であり、かつ像側の面が周辺に行くほど正のパワーが強くなる形状となっている。
【００１７】
なお、本実施の形態に係る撮影光学系の特徴部分は主に、フォーカシング用アタッチメント１０の構成にあり、主レンズ２０の構成は図示したものに限らず他の構成を種々とり得る。
【００１８】
図２（Ａ），（Ｂ）は、フォーカシング用アタッチメント１０の一構成例を示している。フォーカシング用アタッチメント１０は、例えばガラス材料などからなる円筒状のチューブ３３の内部に、レンズ材料としての第１および第２の流動性物質４１，４２が充填されている。チューブ３３の両端部は例えばガラス材料などからなる透明なエンドキャップ３１，３２で塞がれている。第１および第２の流動性物質４１，４２は、互いに屈折率が異なり、かつ互いに混じり合わない不混和性の物質となっている。第１の流動性物質４１は例えば、非導電性のオイルであり、第２の流動性物質４２は例えば、導電性の水溶液となっている。エンドキャップ３１，３２は平面形状であり、これにより、第１および第２レンズＧ１，Ｇ２となる第１および第２の流動性物質４１，４２の前後面は平面形状となっている。
【００１９】
エンドキャップ３１とチューブ３３において、第１および第２の流動性物質４１，４２に接する面側は、疎水性コーティング材４３で覆われている。また、チューブ３３の疎水性コーティング材４３が施されている側には、絶縁体３６を介して第１の電極３４が形成されている。また、疎水性コーティング材４３の端部に接するように第２の電極３５が形成されている。第１および第２の電極３４，３５は、外側に引き出し形成され、電圧印加部５１（図２（Ｂ））に接続されることにより、外部から電圧を印加できるようになっている。
【００２０】
図２（Ａ）は、電圧を印加していない通常の状態を示している。疎水性コーティング材４３で覆われていることにより、チューブ３３の内部では、第２の流動性物質４２が半球状で安定した状態となる。一方、図２（Ｂ）は、電圧を印加した状態を示している。図示したように電圧Ｖを印加することで、導電性のある第２の流動性物質４２とそれに接する疎水性コーティング材４３との境界面付近に電荷が集まる。それにより発生した静電気の力によって、疎水性コーティング材４３による界面張力が弱くなり、これにより疎水性が弱くなって第１および第２の流動性物質４１，４２の形状が変化する。形状変化の度合いの調節は、電圧印加部５１によって加える電圧Ｖの大きさを調整することにより行うことができる。すなわち、電圧Ｖを大きくするに従い、その接合面が物体側に凸の状態（図２（Ａ））から平面の状態、凹の状態（図２（Ｂ））へと変化する。すなわち、第１の流動性物質４１の形状が、凹レンズから平面レンズ、凸レンズへと変化し、第２の流動性物質４２の形状が、凸レンズから平面レンズ、凹レンズへと変化する。
【００２１】
フォーカシング用アタッチメント１０は、電圧印加部５１において印加する電圧Ｖを制御するための電圧制御部５４を有している。電圧制御部５４は例えば、第１および第２の流動性物質４１，４２からなる接合レンズの接合面の形状と距離との関係をあらかじめ記憶しておき、物体距離に応じて印加電圧Ｖの大きさを制御することで、接合面の形状を制御する。電圧制御部５４は、この撮影光学系が搭載されるカメラ側の構成に応じて電圧Ｖを制御するようになっている。例えば測距部５２を有するカメラにおいては、測距部５２により計測された距離情報に応じて印加電圧Ｖの制御を行う。これにより、オートフォーカス機能が実現される。また、操作部５３を介したユーザによる距離情報の入力によりフォーカス動作を行うようにしても良い。ここで、電圧印加部５１および電圧制御部５４が、本発明における「制御手段」の一具体例に対応する。
【００２２】
本実施の形態においては、効率的なフォーカシングを実現するため、第１の流動性物質４１のｄ線に対する屈折率Ｎｄ１と第２の流動性物質４２のｄ線に対する屈折率Ｎｄ２とに関し、以下の条件を満足している。なお、この条件式（１）は、第１および第２の流動性物質４１，４２の屈折率差の適切な数値範囲を規定しているが、その上限値に関しては、フォーカシングの性能の点からは特に限定されない。ただし事実上、第１および第２の流動性物質４１，４２として使用可能なレンズ材料により特定される。現状のレンズ材料では、０．５程度が上限と考えられる。
０．１＜│Ｎｄ１−Ｎｄ２│＜０．５  ……（１）
【００２３】
また、この撮影光学系は、以下の条件式を満足するように構成されていることが好ましい。ＲＡは、第１および第２の流動性物質４１，４２からなる接合レンズ（第１および第２レンズＧ１，Ｇ２）における接合面（Ｒ２面）の曲率半径の使用上の最小値、ｆは、主レンズ２０の焦点距離を示す。
３＜│ＲＡ│／ｆ＜２０  ……（２）
【００２４】
また、この撮影光学系において、第１および第２レンズＧ１，Ｇ２の前後面（Ｒ１，Ｒ３面）の少なくとも一方に、赤外線カットコートが施されていても良い。これは、例えばエンドキャップ３１，３２に赤外線カットコートを施すことにより実現できる。
【００２５】
次に、以上のように構成された撮影光学系の作用および効果を説明する。
【００２６】
この撮影光学系では、主レンズ２０よりも物体側にフォーカシング用アタッチメント１０が配置され、そこでフォーカシングが行われる。フォーカシング用アタッチメント１０は、第１および第２レンズＧ１，Ｇ２が第１および第２の流動性物質４１，４２をレンズ材料としているので、その接合面の形状が電気的に制御される。すなわち、図２（Ｂ）に示したように、電圧印加部５１によって印加する電圧Ｖを電圧制御部５４が制御して、接合面の形状（曲率半径Ｒ２）が制御される。電圧制御部５４は例えば、測距部５２を有するカメラにおいては、測距部５２により計測された距離情報に応じて印加電圧Ｖの制御を行い、これにより接合面の曲率半径Ｒ２を制御することで、オートフォーカス機能を実現する。このようにしてフォーカシング用アタッチメント１０において、接合レンズ（第１および第２レンズＧ１，Ｇ２）の接合面の形状を物体距離に応じて制御することでフォーカシングが実現される。レンズをモータ等で機械的に移動させることなくフォーカシングが実現されるので、小型化および構成の簡易さの点で有利となる。また、主レンズ２０としてはフォーカシングの際に固定の既存の構成のレンズを使用することができる。
【００２７】
フォーカシング用アタッチメント１０において、接合レンズを構成する第１および第２の流動性物質４１，４２の屈折率Ｎｄ１，Ｎｄ２が、条件式（１）を満足することで、効率的なフォーカシングが可能となる。条件式（１）は、第１および第２の流動性物質４１，４２の適切な屈折率差を規定している。条件式（１）の数値範囲を下回ると、接合面の曲率半径Ｒ２の変化に対しバックフォーカスの変化が小さくなってしまい、効率的なフォーカシングが行えない。
【００２８】
条件式（２）は、接合面の曲率半径Ｒ２の絶対値の最小値ＲＡと、主レンズ２０の焦点距離ｆとの比を規定するものである。条件式（２）の下限を下回ると、ＲＡの値に対するフォーカシングの効果が小さくなり過ぎ、好ましくない。また、上限を上回るとＲＡの値に対するフォーカシングの効果が大きくなり過ぎ、好ましくない。
【００２９】
また、平面となっている第１および第２レンズＧ１，Ｇ２の前後面どちらか一方、もしくは両面に赤外線カットコートを施した場合には、フォーカシング用アタッチメント１０に赤外線カットフィルターの役割を持たすことができる。
【００３０】
このように、本実施の形態に係るフォーカシング用アタッチメント、および撮影光学系によれば、レンズをモータ等で機械的に移動させることなく効率的にフォーカシングを行うことができ、小型化にも適した光学系を実現できる。
【実施例】
【００３１】
次に、本実施の形態に係る撮影光学系の具体的な数値実施例について説明する。図３（Ａ），（Ｂ）は、図１に示した撮影光学系の構成に対応する具体的なレンズデータを示している。図３（Ａ）には、レンズデータのうち基本的なデータ部分を示し、図３（Ｂ）には、レンズデータのうち非球面形状に関するデータ部分を示す。
【００３２】
レンズデータにおける面番号Ｓｉの欄には、この撮影光学系について、最も物体側のレンズ要素の面を１番目として、像側に向かうに従い順次増加するようにして符号を付したｉ番目（ｉ＝１〜１０）の面の番号を示している。曲率半径Ｒｉの欄には、図１で付した符号Ｒｉに対応させて、物体側からｉ番目の面の曲率半径の値を示す。面間隔Ｄｉの欄についても、図１で付した符号に対応させて、物体側からｉ番目の面Ｓｉとｉ＋１番目の面Ｓｉ＋１との光軸上の間隔を示す。曲率半径Ｒｉおよび面間隔Ｄｉの値の単位はミリメートル（ｍｍ）である。Ｎｄｊ，νｄｊの欄には、それぞれ、カバーガラスＧＣも含めて、物体側からｊ番目（ｊ＝１〜５）のレンズ要素のｄ線（５８７．６ｎｍ）に対する屈折率およびアッベ数の値を示す。
【００３３】
フォーカシング用アタッチメント１０を構成する第１および第２レンズＧ１，Ｇ２の接合面Ｓ２の曲率半径Ｒ２は、物体距離に応じて３０．０ｍｍ（最小値ＲＡ）〜∞（平面）の間で可変となっている。間隔Ｄ１，Ｄ２の値は、曲率半径Ｒ２が３０．０ｍｍのときの値を示している。
【００３４】
図３（Ａ）のレンズデータにおいて、面番号の左側に付された記号「＊」は、そのレンズ面が非球面形状であることを示す。主レンズ２０を構成する第３レンズＧ３の両面Ｓ５，Ｓ６と、第４レンズＧ４の両面Ｓ７，Ｓ８とが非球面形状となっている。基本レンズデータには、これらの非球面の曲率半径として、光軸近傍（近軸近傍）の曲率半径の数値を示している。データから分かるように、第３レンズＧ３および第４レンズＧ４は、近軸近傍においてメニスカス形状となっている。
【００３５】
図３（Ｂ）の各非球面データの数値において、記号“Ｅ”は、その次に続く数値が１０を底とした“べき指数”であることを示し、その１０を底とした指数関数で表される数値が“Ｅ”の前の数値に乗算されることを示す。例えば、「１．０Ｅ−０２」であれば、「１．０×１０-2」であることを示す。
【００３６】
各非球面データには、以下の式（Ａ）によって表される非球面形状の式における各係数Ａi，Ｋの値を記す。Ｚは、より詳しくは、光軸から高さｈの位置にある非球面上の点から、非球面の頂点の接平面（光軸に垂直な平面）に下ろした垂線の長さ（ｍｍ）を示す。
【００３７】
Ｚ＝Ｃ・ｈ2／｛１＋（１−Ｋ・Ｃ2・ｈ2）1/2｝＋Ａ3・ｈ3＋Ａ4・ｈ4＋Ａ5・ｈ5＋Ａ6・ｈ6＋Ａ7・ｈ7＋Ａ8・ｈ8＋Ａ9・ｈ9＋Ａ10・ｈ10＋Ａ11・ｈ11  ……（Ａ）
ただし、
Ｚ：非球面の深さ（ｍｍ）
ｈ：光軸からレンズ面までの距離（高さ）（ｍｍ）
Ｋ：離心率
Ｃ：近軸曲率＝１／Ｒ
（Ｒ：近軸曲率半径）
Ａi：第ｉ次（ｉ＝３〜１１）の非球面係数
【００３８】
第３レンズＧ３の両面Ｓ５，Ｓ６の非球面形状は、Ａ11までの非球面係数を有効に用いて表されている。第４レンズＧ４の両面Ｓ７，Ｓ８の非球面形状は、Ａ10までの非球面係数を有効に用いて表されている。
【００３９】
図４（Ａ）には、フォーカシングに関する諸データとして、物体距離と第１および第２レンズＧ１，Ｇ２における曲率半径Ｒ２との関係を示す。曲率半径Ｒ２が∞のときに、無限遠の物体に合焦し、曲率半径Ｒ２が最小値の３０．０ｍｍのときに、近距離物体（１１０ｍｍ）に合焦する。なお、このときのバックフォーカスの変化量は０．１４ｍｍである。図４（Ａ）にはまた、主レンズ２０の諸データとして、主レンズ２０の近軸焦点距離ｆ（ｍｍ）、Ｆナンバー（ＦＮＯ．）、および画角２ω（ω：半画角）の値を同時に示す。
【００４０】
図４（Ｂ）には、上述の条件式（１），（２）に関する値を、本実施例についてまとめたものを示す。図４（Ｂ）に示したように、本実施例の値は、各条件式（１），（２）の数値範囲内となっている。
【００４１】
図５（Ａ）〜（Ｃ）は、物体距離を無限遠として合焦した場合（Ｒ２＝∞）における球面収差、非点収差、およびディストーション（歪曲収差）を示している。また、図６（Ａ）〜（Ｃ）は、近距離物体に合焦した場合（Ｒ２＝３０．０ｍｍ）における同様の収差を示している。各収差図には、ｄ線を基準波長とした収差を示すが、球面収差図および倍率色収差図には、ｇ線（波長４３５．８ｎｍ），Ｃ線（波長６５６．３ｎｍ）についての収差も示す。非点収差図において、実線はサジタル方向、破線はタンジェンシャル方向の収差を示す。ωは、半画角を示す。
【００４２】
以上の各数値データおよび各収差図から分かるように、無限遠から近距離まで良好に収差補正がなされた、コンパクトなレンズ系が実現されている。
【００４３】
なお、本発明は、上記実施の形態および実施例に限定されず種々の変形実施が可能である。例えば、各レンズ成分の曲率半径、面間隔および屈折率の値などは、上記数値実施例で示した値に限定されず、他の値をとり得る。
【図面の簡単な説明】
【００４４】
【図１】本発明の一実施の形態に係る撮影光学系の一構成例を示すレンズ断面図である。
【図２】フォーカシング用アタッチメントの一構成例を示す構成図である。
【図３】撮影光学系の具体的な数値実施例を示す図である。
【図４】その他の数値データを示す図である。
【図５】実施例に係る撮影光学系の無限遠合焦時における球面収差、非点収差、およびディストーションを示す収差図である。
【図６】実施例に係る撮影光学系の近距離合焦時における球面収差、非点収差、およびディストーションを示す収差図である。
【符号の説明】
【００４５】
１０…フォーカシング用アタッチメント、２０…主レンズ、ＧＣ…カバーガラス、Ｓｔ…絞り、Ｇｊ…物体側から第ｊ番目のレンズ、Ｒｉ…物体側から第ｉ番目のレンズ面の曲率半径、Ｄｉ…物体側から第ｉ番目と第ｉ＋１番目のレンズ面との面間隔、Ｚ１…光軸。
【図１】
2006126739.tif 000003
【図２】
2006126739.tif 000004
【図３】
2006126739.tif 000005
【図４】
2006126739.tif 000006
【図５】
2006126739.tif 000007
【図６】
2006126739.tif 000008